(57)【特許請求の範囲】
【請求項１】
天面が開閉自在に構成され、少なくとも側面が可撓性部材からなり、互いに対向する２つの第１の側面の幅が高さと同等以上である直方体の収納容器と、
前記収納容器の４つの側面の内側にそれぞれ重ね合わされるように配置され、前記収納容器の底面側の端辺を中心として前記側面の内側に重ね合わされた状態から前記底面に対向する状態まで回動自在に構成された４つの断熱板とを有し、
前記収納容器は、前記４つの側面のうち互いに対向する２つの第２の側面にそれぞれ連接し、当該連接部を中心として回動することで前記天面を開閉する２つの蓋部を有し、
前記２つの蓋部のそれぞれは、略全面に断熱板が取り付けられ、該２つの蓋部のうち少なくとも一方は、前記側面との連接方向の長さが当該側面の高さと同等である、保冷箱。
【発明の詳細な説明】
【技術分野】
【０００１】
本発明は、物品を収容して保冷する保冷箱に関し、特に、折り畳み可能な保冷箱に関する。
【背景技術】
【０００２】
物流システムにおいては、物品を一定温度、例えば低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このような保冷箱としては、外箱内に、板状の断熱材を外箱の内壁に重ね合わせるように配置したものが考えられている（例えば、特許文献１参照）。このように外箱となる収納容器内に板状の断熱板を配置した構成の保冷箱を用いることで、断熱性を有する箱体を用いることなく、物品を保冷することができる。
【先行技術文献】
【特許文献】
【０００４】
【特許文献１】特開２００３−１８２７７７号公報
【発明の概要】
【発明が解決しようとする課題】
【０００５】
近年、上述したように、保冷箱を用いて物品を低温で輸送することが多く行われており、そのため、低温で物品を輸送する場合も、常温で物品を輸送する場合に近い取り扱いやすさが求められている。その１つとして、常温で物品を輸送する際に利用されるコンテナと同様に保冷箱を素早く容易に折り畳んだり組み立てたりすることが求められる。
【０００６】
しかしながら、上述したように収納容器内に板状の断熱材を配置した保冷箱を折り畳む場合、例えば、収納容器から断熱材を取り出して収納容器を折り畳むこととなり、素早く容易に折り畳んだり組み立てたりすることができない。そこで、可撓性を有するシートから収納容器を構成し、収納容器内に板状の断熱材が配置された状態で収納容器を折り畳むことが考えられる。
【０００７】
ところが、可撓性を有するシートから収納容器を構成する場合、保冷箱を組み立てる際、シートに自立性がないことから、収納容器内に配置された板状の断熱材を組み立てにくくなってしまうという問題点がある。
【０００８】
本発明は、上述したような従来の技術が有する問題点に鑑みてなされたものであって、収納容器内に断熱板が配置された構成において、収納容器の側面が可撓性部材からなるものであっても素早く容易に組み立てることができる保冷箱を提供することを目的とする。
【課題を解決するための手段】
【０００９】
上記目的を達成するために本発明は、
天面が開閉自在に構成され、少なくとも側面が可撓性部材からなり、互いに対向する２つの第１の側面の幅が高さと同等以上である直方体の収納容器と、
前記収納容器の４つの側面の内側にそれぞれ重ね合わされるように配置され、前記収納容器の底面側の端辺を中心として前記側面の内側に重ね合わされた状態から前記底面に対向する状態まで回動自在に構成された４つの断熱板とを有し、
前記収納容器は、前記４つの側面のうち互いに対向する２つの第２の側面にそれぞれ連接し、当該連接部を中心として回動することで前記天面を開閉する２つの蓋部を有し、
前記２つの蓋部のそれぞれは、略全面に断熱板が取り付けられ、該２つの蓋部のうち少なくとも一方は、前記側面との連接方向の長さが当該側面の高さと同等である。
【００１０】
上記のように構成された本発明においては、４つの断熱板が、収納容器の側面に重ね合わされた状態から底面に対向する状態にそれぞれ回動した状態においては、収納容器の側面が可撓性部材からなるものであることから、側面は断熱板が重ね合わされていないことで自立性がなくなってしまうが、収納容器の天面を開閉自在とする２つの蓋部が、その略全面に断熱板が取り付けられ、収納容器の側面にそれぞれ連接してこの連接部を中心として回動し、２つの蓋部のうち少なくとも一方が、側面との連接方向の長さが側面の高さと同等であるので、この蓋部を、連接する側面に重ね合わせるように開いた状態とすることで、その側面が、蓋部が支えとなって起立した状態となり、それにより、収納容器内に配置された４つの断熱板を、底面に対向した状態から側面に重ね合わされた状態に回動しやすくなる。
【００１１】
また、天面が開閉自在に構成され、少なくとも側面が可撓性部材からなり、互いに対向する２つの第１の側面の幅が高さと同等である直方体の収納容器と、
前記収納容器の４つの側面の内側にそれぞれ重ね合わされるように配置され、前記収納容器の底面側の端辺を中心として前記側面の内側に重ね合わされた状態から前記底面に対向する状態まで回動自在に構成された４つの断熱板とを有し、
前記収納容器は、前記４つの側面のうち互いに対向する２つの第２の側面の一方に連接し、当該連接部を中心として回動することで前記天面を開閉する蓋部を有し、
前記蓋部は、略全面に断熱板が取り付けられ、前記側面との連接方向の長さが当該側面の高さと同等である。
【００１２】
上記のように構成された本発明においては、４つの断熱板が、収納容器の側面に重ね合わされた状態から底面に対向する状態にそれぞれ回動した状態においては、収納容器の側面が可撓性部材からなるものであることから、側面は断熱板が重ね合わされていないことで自立性がなくなってしまうが、収納容器の天面を開閉自在とする蓋部が、その略全面に断熱板が取り付けられ、収納容器の側面に連接してこの連接部を中心として回動し、側面との連接方向の長さが側面の高さと同等であるので、この蓋部を、連接する側面に重ね合わせるように開いた状態とすることで、その側面が、蓋部が支えとなって起立した状態となり、それにより、収納容器内に配置された４つの断熱板を、底面に対向した状態から側面に重ね合わされた状態に回動しやすくなる。
【発明の効果】
【００１３】
本発明によれば、収納容器の天面を開閉自在とする２つの蓋部が、その略全面に断熱板が取り付けられ、収納容器の側面にそれぞれ連接してこの連接部を中心として回動し、２つの蓋部のうち少なくとも一方が、側面との連接方向の長さが側面の高さと同等であるため、この蓋部に連接する側面においては、重ね合わされた断熱板が底面に対向する状態に回動した状態となることで自立性がなくなった場合でも、連接する蓋部を支えとして起立した状態とすることができ、それにより、収納容器内にて断熱板が折り畳み及び組み立て可能に配置された構成において、収納容器の側面が可撓性部材からなるものであっても素早く容易に組み立てることができる。
【００１４】
また、蓋部が１つであるものにおいても、この蓋部が、その略全面に断熱板が取り付けられ、収納容器の側面に連接してこの連接部を中心として回動し、側面との連接方向の長さが側面の高さと同等であるため、この蓋部に連接する側面においては、重ね合わされた断熱板が底面に対向する状態に回動した状態となることで自立性がなくなった場合でも、連接する蓋部を支えとして起立した状態とすることができ、それにより、収納容器内にて断熱板が折り畳み及び組み立て可能に配置された構成において、収納容器の側面が可撓性部材からなるものであっても素早く容易に組み立てることができる。
【図面の簡単な説明】
【００１５】
【図１】本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。
【図２】図１に示した保冷箱における１組の側面の構成を示す断面図であり、（ａ）は保冷箱が折り畳まれていない状態を示す図、（ｂ）は保冷箱が折り畳まれる際の状態を示す図である。
【図３】図１に示した保冷箱における他の組の側面の構成を示す断面図であり、（ａ）は保冷箱が折り畳まれていない状態を示す図、（ｂ）は保冷箱が折り畳まれる際の状態を示す図である。
【図４】図１〜図３に示した保冷箱の折り畳み方法を説明するための外観斜視図である。
【図５】図１〜図３に示した保冷箱において断熱板を倒していく際の作用を説明するための断面図である。
【図６】図１〜図３に示した保冷箱において断熱板を倒していく際の作用を説明するための断面図である。
【図７】図１〜図３に示した保冷箱の組み立て方法を説明するための外観斜視図である。
【図８】図１〜図３に示した保冷箱において、開いた蓋部を側面の外側に重ね合わせるようにした際の作用を説明するための断面図である。
【図９】本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【図１０】図９に示した保冷箱において収納容器を折り畳む際の側面の作用を説明するための図である。
【発明を実施するための形態】
【００１６】
以下に、本発明の実施の形態について図面を参照して説明する。
【００１７】
図１は、本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。図２は、図１に示した保冷箱における１組の側面の構成を示す断面図であり、（ａ）は保冷箱が折り畳まれていない状態を示す図、（ｂ）は保冷箱が折り畳まれる際の状態を示す図である。図３は、図１に示した保冷箱における他の組の側面の構成を示す断面図であり、（ａ）は保冷箱が折り畳まれていない状態を示す図、（ｂ）は保冷箱が折り畳まれる際の状態を示す図である。
【００１８】
本形態は図１〜図３に示すように、蓋部１１ａ，１１ｂ、側面１２ａ〜１２ｄ及び底面１３からなる直方体の収納容器の内側に、断熱板２１ａ，２１ｂ，２２ａ〜２２ｄ，２３が配置されて構成されている。
【００１９】
蓋部１１ａ，１１ｂは、可撓性を有する２枚のアルミシートが重ね合わされて構成されており、蓋部１１ａは側面１２ｃの天面側の端辺と連接し、また、蓋部１１ｂは、側面１２ｃに対向する側面１２ｄの天面側の端辺と連接し、蓋部１１ａ，１１ｂが、側面１２ｃ，１２ｄとの連接部となる連接辺を中心としてそれぞれ回動することで、収納容器の天面が開閉自在に構成されている。蓋部１１ａは、側面１２ｃとの連接方向の長さが、側面１２ｃの高さと同等となっており、蓋部１１ｂは、側面１２ｄとの連接方向の長さが、蓋部１１ａ，１１ｂが閉じられた場合にその一部が蓋部１１ａと重なる長さとなっている。
【００２０】
蓋部１１ａ，１１ｂは、収納容器の内側となる面に断熱板２１ａ，２１ｂがそれぞれ取り付けられている。断熱板２１ａは、蓋部１１ａに対向しない面の全面がアルミシートで覆われており、蓋部１１ａ，１１ｂが閉じられた場合に、側面１２ａ〜１２ｃに重ね合わされた断熱板２２ａ〜２２ｃ及び蓋部１１ｂと干渉しないように蓋部１１ａの周縁部から断熱板２２ａ〜２２ｃの厚み分だけ内側の蓋部１１ａの略全面に取り付けられている。断熱板２１ｂは、蓋部１１ｂに対向しない面の全面がアルミシートで覆われており、蓋部１１ｂが閉じられた場合に、側面１２ａ，１２ｂ，１２ｄに重ね合わされた断熱板２２ａ，２２ｂ，２２ｄと干渉しないように蓋部１１ｂの周縁部から断熱板２２ａ，２２ｂ，２２ｄの厚み分だけ内側の蓋部１１ｂの略全面に取り付けられている。
【００２１】
蓋部１１ａには、収納容器の内側となる面のうち、蓋部１１ａ，１１ｂが閉じられた場合に蓋部１１ｂに重なる領域に面ファスナー３１が取り付けられている。また、蓋部１１ｂには、収納容器の外側となる面のうち、蓋部１１ａ，１１ｂが閉じられた場合に蓋部１１ａに重なる領域に面ファスナー（不図示）が取り付けられている。また、蓋部１１ａ，１１ｂには、収納容器の外側となる面のうち、側面１２ｃ，１２ｄとの連接辺に繋がる辺に沿う領域に、それぞれ面ファスナー（不図示）が取り付けられている。なお、蓋部１１ａ，１１ｂはそれぞれ、断熱板２１ａ，２１ｂが取り付けられていない領域において、一定の強度を保持するために２枚のアルミシート間に、ポリプロピレンからなる１ｍｍ厚の樹脂シート（不図示）が介在している。また、蓋部１１ａと面ファスナー３１との間には、蓋部１１ａを開けやすくするための、取っ手２９が取り付けられている。
【００２２】
底面１３は、可撓性を有するシートで構成されており、収納容器の内側となる面に、底面１３に対向しない面の全面がアルミシートで覆われた断熱板２３が取り付けられている。また、底面１３の収納容器の外側となる面には、側面１２ａ，１２ｂとの連接辺の近傍にベルト２８が取り付けられている。このベルト２８は、一端が底面１３に取り付けられ、他端の一方の面に面ファスナー３３が取り付けられている。
【００２３】
側面１２ａ，１２ｂはそれぞれ、互いに対向して配置されて本願発明における第１の側面となるものであって、可撓性を有する２枚のアルミシートが重ね合わされて構成されている。側面１２ａ，１２ｂの収納容器の外側となる面には、面ファスナー３２が取り付けられている。側面１２ａ，１２ｂには、収納容器の内側となる面に重ね合わされるように断熱板２２ａ，２２ｂが配置されている。また、側面１２ａ，１２ｂのうち、収納容器の天面側の端辺には、フラップ部５１ａ，５１ｂがそれぞれ連接している。
【００２４】
フラップ部５１ａ，５１ｂには、フラップ部５１ａ，５１ｂが折り畳まれた場合に収納容器の内側となる面に、側面１２ａ，１２ｂとの連接辺に沿って面ファスナー３６が取り付けられており、また、フラップ部５１ａ，５１ｂが折り畳まれた場合に収納容器の外側となる面のうちフラップ部５１ａ，５１ｂの長手方向中央部に面ファスナー３５が取り付けられている。
【００２５】
断熱板２２ａ，２２ｂは、その全面がアルミシートで覆われており、側面１２ａ，１２ｂの幅と同等の幅を有している。断熱板２２ａ，２２ｂは、側面１２ａ，１２ｂの高さから断熱板２３及び後述する断熱板２２ｃ，２２ｄを重ね合わせた厚さを減じた高さを有しており、断熱板２３の端辺に取り付けられた非折り曲げ部２５上に起立した状態で側面１２ａ，１２ｂに重ね合わされ、非折り曲げ部２５との当接面のうち重ね合わされた側面１２ａ，１２ｂとは反対側の辺が非折り曲げ部２５に縫合等によって接合されている。それにより、断熱板２２ａ，２２ｂはそれぞれ、底面１３側の端辺を中心として側面１２ａ，１２ｂに重ね合わされた状態から底面１３に対向する状態まで回動自在に構成されている。
【００２６】
非折り曲げ部２５は、その高さが、断熱板２２ｃ，２２ｄを重ね合わせた厚さと同等のものとなっており、それにより、断熱板２２ｃ，２２ｄが底面１３に対向する状態とされた後に断熱板２２ａ，２２ｂが底面１３と対向する状態とされると、図２（ｂ）に示すように、断熱板２２ａ，２２ｂの上面が底面１３と略平行な状態となる。なお、非折り曲げ部２５は、断熱板２２ａ，２２ｂと同等の材料から構成することが考えられるが、本願発明における断熱板を構成するものではない。
【００２７】
側面１２ｃ，１２ｄは、互いに対向して配置されて本願発明における第２の側面となるものであって、可撓性を有する２枚のアルミシートが重ね合わされて構成されている。側面１２ｃ，１２ｄには、収納容器の内側となる面に重ね合わされるように断熱板２２ｃ，２２ｄが配置されている。
【００２８】
断熱板２２ｃ，２２ｄは、その全面がアルミシートで覆われており、側面１２ｃ，１２ｄの幅から断熱板２２ａ，２２ｂの厚さを減じた幅を有している。断熱板２２ｃは、側面１２ｃの高さから断熱板２３の厚さを減じた高さを有しており、断熱板２３の端辺に起立した状態で側面１２ｃに重ね合わされ、断熱板２３との当接面のうち側面１２ｃとは反対側の辺が断熱板２３に縫合等によって接合されている。それにより、断熱板２２ｃは、底面１３側の端辺を中心として側面１２ｃに重ね合わされた状態から底面１３に対向する状態まで回動自在に構成されている。断熱板２２ｄは、側面１２ｄの高さから断熱板２２ｃ及び断熱板２３の厚さを減じた高さを有しており、断熱板２３の端辺に取り付けられた非折り曲げ部２４上に起立した状態で側面１２ｄに重ね合わされ、非折り曲げ部２４との当接面のうち側面１２ｄとは反対側の辺が非折り曲げ部２４に縫合等によって接合されている。それにより、断熱板２２ｄは、底面１３側の端辺を中心として側面１２ｄに重ね合わされた状態から底面１３に対向する状態まで回動自在に構成されている。なお、非折り曲げ部２４は、断熱板２２ｄと同等の材料から構成することが考えられるが、本願発明における断熱板を構成するものではない。
【００２９】
断熱板２２ｃ，２２ｄは、それぞれが底面１３に対向する状態とされると、一部が互いに重なり合う高さを有している。そのため、非折り曲げ部２４の高さが、断熱板２２ｃの厚さと同等のものとなっており、それにより、断熱板２２ｃが底面１３に対向する状態とされた後に断熱板２２ｄが底面１３と対向する状態とされると、図３（ｂ）に示すように、断熱板２２ｄの上面が底面１３と略平行な状態となる。
【００３０】
以下に、上記のように構成された保冷箱１の使用方法について説明する。
【００３１】
まず、保冷箱１の折り畳み方法について説明する。
【００３２】
図４は、図１〜図３に示した保冷箱１の折り畳み方法を説明するための外観斜視図である。
【００３３】
図１〜図３に示した保冷箱１を折り畳む場合はまず、図４（ａ）に示すように、蓋部１１ａ，１１ｂ及びフラップ部５１ａ，５１ｂが開いた状態で、断熱板２２ｃ，２２ｄを倒していく。
【００３４】
図５は、図１〜図３に示した保冷箱１において断熱板２２ｃ，２２ｄを倒していく際の作用を説明するための断面図である。
【００３５】
図１〜図３に示した保冷箱１において断熱板２２ｃ，２２ｄを倒していく場合はまず、図５（ａ）に示すように、断熱板２２ｃを、底面１３側の端辺の断熱板２３との接合部分を中心として、側面１２ｃに重ね合わされた状態から回動させ、断熱板２３に当接させて断熱板２３上に載置された状態とする。これにより、断熱板２２ｃは、底面１３に対向した状態となる。
【００３６】
次に、図５（ｂ）に示すように、断熱板２２ｄを、底面１３側の端辺の非折り曲げ部２４との接合部分を中心として、側面１２ｄに重ね合わされた状態から回動させていく。すると、上述したように、断熱板２２ｃ，２２ｄは、それぞれが底面１３に対向する状態とされた場合に、一部が互いに重なり合う高さを有していることから、図５（ｃ）に示すように、断熱板２２ｄの非折り曲げ部２４との接合部分とは反対側の辺側の領域が、断熱板２２ｃに当接し、底面１３に対向した状態となる。この際、非折り曲げ部２４の高さが、断熱板２２ｃの厚さと同等のものとなっているため、断熱板２２ｄの上面が底面１３と略平行な状態となる。
【００３７】
このようにして断熱板２２ｃ，２２ｄを倒して底面１３と対向する状態とした後、図４（ｂ）に示すように、断熱板２２ａ，２２ｂを倒していく。
【００３８】
図６は、図１〜図３に示した保冷箱１において断熱板２２ａ，２２ｂを倒していく際の作用を説明するための断面図である。
【００３９】
図１〜図３に示した保冷箱１において、断熱板２２ｃ，２２ｄを上記のようにして倒して底面１３と対向する状態とした後、断熱板２２ａ，２２ｂを倒していく場合は、断熱板２２ａ，２２ｂがそれぞれ、底面１３に対向する状態とされた場合に互いに重なり合わない高さを有していることから、図６（ａ）に示すように、断熱板２２ａ，２２ｂを同時に倒していくことができる。
【００４０】
そして、上述したように、底面１３に取り付けられた断熱板２３上には、その一部が重なり合った状態で倒された断熱板２２ｃ，２２ｄが載置された状態となっているため、図６（ｂ）に示すように、断熱板２２ｃ，２２ｄのうち上側となった断熱板２２ｄ上に断熱板２２ａ，２２ｂが載置された状態となる。その際、上述したように、非折り曲げ部２５の高さが、断熱板２２ｃ，２２ｄを重ね合わせた厚さと同等のものとなっているため、断熱板２２ａ，２２ｂが倒されて底面１３に対向した状態においては、断熱板２２ａ，２２ｂの上面が底面１３と略平行な状態となる。
【００４１】
このようにして断熱板２２ａ〜２２ｄが全て倒されて底面１３に対向する状態とされると、側面１２ａ〜１２ｄがアルミシートから構成されていることで側面１２ａ〜１２ｄの自立性がなくなり、収納容器の上端部を下方に押し付けるようにすると、図４（ｃ）に示すように、収納容器を折り畳むことができる。
【００４２】
このようにして側面１２ａ〜１２ｄが折り畳まれた後、図４（ｄ）に示すように、蓋部１１ｂを閉じた後に蓋部１１ａを閉じて、蓋部１１ａの面ファスナー３１と蓋部１１ｂの面ファスナーとを接合させ、また、フラップ部５１ａ，５１ｂを折り畳んで蓋部１１ａ，１１ｂの面ファスナーにフラップ部５１ａ，５１ｂの面ファスナー３６を接合させ、さらに、底面１３に取り付けられたベルト２８を保冷箱１の側面１２ａ，１２ｂにかけてベルト２８の面ファスナー３３とフラップ部５１ａ，５１ｂの面ファスナー３５とを接合させ、保冷箱１を折り畳み状態とする。
【００４３】
上述したようにして折り畳まれた保冷箱１は、側面１２ｄが上側となるように抱えた状態で取っ手２９を掴めば、蓋部１１ａ，１１ｂが開くことなく簡単に持ち運ぶことができる。
【００４４】
次に、上記のようにして折り畳まれた保冷箱１の組み立て方法について説明する。
【００４５】
図７は、図１〜図３に示した保冷箱１の組み立て方法を説明するための外観斜視図である。
【００４６】
上記のようにして折り畳まれた保冷箱１を組み立てる場合はまず、図７（ａ）に示すように、フラップ部５１ａ，５１ｂの面ファスナー３５からベルト２８の面ファスナー３３を剥離し、蓋部１１ａ，１１ｂの面ファスナーからフラップ部５１ａ，５１ｂの面ファスナー３６を剥離してフラップ部５１ａ，５１ｂを開き、さらに、蓋部１１ａの面ファスナー３１から蓋部１１ｂの面ファスナーを剥離して蓋部１１ａ，１１ｂを開く。
【００４７】
次に、図７（ｂ）に示すように、開いた蓋部１１ａを側面１２ｃの外側に重ね合わせるようにする。
【００４８】
図８は、図１〜図３に示した保冷箱１において、開いた蓋部１１ａを側面１２ｃの外側に重ね合わせるようにした際の作用を説明するための断面図である。
【００４９】
開いた蓋部１１ａを側面１２ｃの外側に重ね合わせるようにすると、側面１２ｃが、断熱板２２ｃが重ね合わされた状態となっていないことから自立性がないものの、蓋部１１ａが、側面１２ｃとの連接方向の長さが側面１２ｃの高さと同等であるとともに、蓋部１１ａには、蓋部１１ａ，１１ｂが閉じられた場合に、側面１２ａ〜１２ｃに重ね合わされた断熱板２２ａ〜２２ｃ及び蓋部１１ｂと干渉しないように蓋部１１ａの周縁部を避けて略全面に断熱板２１ａが取り付けられているので、側面１２ｃが蓋部１１ａを支えとして起立した状態となる。この際、蓋部１１ａの断熱板２１ａが取り付けられていない領域においては、一定の強度を保持するために２枚のアルミシート間に、ポリプロピレンからなる１ｍｍ厚の樹脂シートが介在しているため、この樹脂シートによっても側面１２ｃが支えられることとなるが、断熱板２１ａが蓋部１１ａの略全面に取り付けられていることにより、蓋部１１ａの断熱板２１ａが取り付けられていない領域に樹脂シートが介在していなくても、側面１２ｃが起立した状態が保持される。なお、蓋部１１ａの周縁部にステッチ（不図示）を形成することによっても、蓋部１１ａの断熱板２１ａが取り付けられていない領域の強度を高めることができる。
【００５０】
そして、図７（ｃ）に示すように、断熱板２２ａ，２２ｂをそれぞれ、底面１３側の端辺の非折り曲げ部２５との接合部分を中心として、底面１３に対向した状態から回動させ、側面１２ａ，１２ｂに重ね合わされた状態とするが、その際、側面１２ｃが蓋部１１ａを支えとして起立した状態となっているため、底面１３に対向した状態となっている断熱板２２ａ，２２ｂの非折り曲げ部２５との接合部分とは反対側の端部を持ち上げやすくなっている。
【００５１】
断熱板２２ａ，２２ｂを側面１２ａ，１２ｂに重ね合わされた状態とした後、断熱板２２ｄを、底面１３側の端辺の非折り曲げ部２４との接合部分を中心として、底面１３に対向した状態から回動させ、側面１２ｄに重ね合わされた状態とし、また、断熱板２２ｃを、底面１３側の端辺の断熱板２３との接合部分を中心として、底面１３に対向した状態から回動させ、側面１２ｃに重ね合わされた状態とする。
【００５２】
断熱板２２ｃ，２２ｄがそれぞれ側面１２ｃ，１２ｄに重ね合わされた状態となると、断熱板２２ｃ，２２ｄの幅がそれぞれ、側面１２ｃ，１２ｄの幅から断熱板２２ａ，２２ｂの厚さを減じた幅となっているため、図７（ｄ）に示すように、断熱板２２ｃ，２２ｄの両端部が断熱板２２ａ，２２ｂと当接した状態となり、それにより、断熱板２２ａ〜２２ｄが側面１２ａ〜１２ｄに重ね合わされた状態に保持されることとなる。
【００５３】
このようにして保冷箱１が組み立てられることになるが、断熱板２２ａ〜２２ｄを、底面１３と対向した状態から側面１２ａ〜１２ｄに重ね合わされた状態とし始める際に、側面１２ｃが蓋部１１ａによって支えられて起立した状態となっているため、収納容器内に配置された断熱板２２ａ〜２２ｄを、底面１３と対向した状態から側面１２ａ〜１２ｄに重ね合わされた状態に回動させやすくなり、それにより、保冷箱１を素早く容易に組み立てることができる。
【００５４】
なお、本形態においては、蓋部１１ａ，１１ｂ、側面１２ａ〜１２ｄ及び底面１３のそれぞれが、可撓性を有するシートから構成されているが、蓋部１１ａ，１１ｂ及び底面１３は、可撓性を有さないシートから構成されていてもよい。
【００５５】
また、収納容器の形状は、直方体ではなく立方体であってもよい。ただし、収納容器の形状が立方体である場合は、上述した断熱板２２ａ，２２ｂについても、底面１３に対向する状態とされた場合にその一部が重なり合うものとなるため、非折り曲げ部２５の高さを互いに異ならせる必要がある。
【００５６】
（他の実施の形態）
図９は、本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【００５７】
本形態は図９に示すように、図１〜図３に示したものに対して、側面１１２ａ，１１２ｂの形状が異なるものである。
【００５８】
本形態においては、側面１１２ａ，１１２ｂの天面側の端辺に沿う領域を第１の辺とした等脚台形領域１１４ａと、側面１１２ａ，１１２ｂの底面１１３側の端辺から所定の幅を有する領域と、その領域の底面１１３とは反対側の辺を第１の辺とする等脚台形領域１１４ｂとが、２枚のアルミシートが重ね合わされて構成されている。なお、等脚台形領域１１４ａ，１１４ｂは、第１の辺間に第２の辺を共通に有し、第１の辺が第２の辺よりも長くなっている。また、等脚台形領域１１４ａ，１１４ｂの脚と側面１１２ａ，１１２ｂの側面１１２ｃ，１１２ｄとの連接辺とで囲まれた三角領域１１６ａ，１１６ｂが、１枚のアルミシートから構成されている。２枚のアルミシートが重ね合わされた等脚台形領域１１４ａ，１１４ｂは、その周囲にステッチ１１５が形成されており、それにより、三角領域１１６ａ，１１６ｂとの境界部分及び等脚台形領域１１４ａ，１１４ｂの境界部分が折り畳まれやすくなっている。これにより、互いに対向する１組の側面１１２ａ，１１２ｂはそれぞれ、側面１１２ａ，１１２ｂの上下の端辺に沿う領域をそれぞれ第１の辺とし、第１の辺間に第２の辺を共通に有し、第１の辺が第２の辺よりも長い２つの等脚台形領域１１４ａ，１１４ｂからなる領域が、等脚台形領域１１４ａ，１１４ｂの外側のうち、等脚台形領域１１４ａ，１１４ｂの脚と側面１１２ａ，１１２ｂの側面１１２ｃ，１１２ｄとの連接辺とで囲まれた領域よりも硬く、かつ、第２の辺にて折り畳み可能に構成されている。また、面ファスナー１３２は、等脚台形領域１１４ａのうち収納容器の外側となる面に取り付けられている。
【００５９】
上記のように構成された保冷箱１０１においても、図１〜図３に示したものと同様にして折り畳まれたり、組み立てられたりすることとなる。
【００６０】
以下に、上記のように構成された保冷箱１０１による特有の効果について説明する。
【００６１】
図１０は、図９に示した保冷箱１０１において収納容器を折り畳む際の側面１１２ａ〜１１２ｄの作用を説明するための図であり、保冷箱１０１を天面側から見た図である。
【００６２】
図９に示した保冷箱１０１においては、上述したように、収納容器の４つの側面のうち互いに対向する１組の側面１１２ａ，１１２ｂがそれぞれ、その側面１１２ａ，１１２ｂの上下の端辺に沿う領域をそれぞれ第１の辺とし、第１の辺間に第２の辺を共通に有し、第１の辺が第２の辺よりも長い２つの等脚台形領域１１４ａ，１１４ｂから構成される領域が、等脚台形領域１１４ａ，１１４ｂの外側のうち、２つの等脚台形の脚と側面１１２ａ，１１２ｂの側面１１２ｃ，１１２ｄとの連接辺とで囲まれた三角領域１１６ａ，１１６ｂよりも硬く、かつ、第２の辺にて折り畳み可能に構成されているので、側面１１２ａ，１１２ｂにおいては、図１０（ａ）に示すように折り畳まれていない状態から、収納容器の上端部を下方に押し付けるようにすると、図１０（ｂ）に示すように、２つの等脚台形領域１１４ａ，１１４ｂが、第２の辺となる部分が頂点となって収納容器の内側に向かって凸となるように折り畳まれていくとともに、側面１１２ａ，１１２ｂが２つの等脚台形領域１１４ａ，１１４ｂの外形に沿って折り畳まれ、２つの略等脚台形の脚と、側面１１２ａ，１１２ｂの側面１１２ｃ，１１２ｄとの連接辺とで囲まれた三角領域１１６ａ，１１６ｂが、等脚台形領域１１４ａ，１１４ｂに挟まれるように折り畳まれていく。
【００６３】
そして、側面１１２ａ，１１２ｂがこのように折り畳まれていくことで、図１０（ｃ）に示すように、側面１１２ｃ，１１２ｄにおいては、側面１１２ａ，１１２ｂとの連接部分の近傍が、等脚台形領域１１４ａ，１１４ｂに挟まれるように横方向に二つ折りに折り畳まれていく。
【００６４】
このように本形態の保冷箱１０１においては、側面１１２ａ，１１２ｂが上記のような構成を有しているため、４つの断熱板１２２ａ〜１２２ｄを、収納容器の側面１１２ａ〜１１２ｄに重ね合わされた状態から底面１１３に対向する状態にそれぞれ回動させた後、収納容器の上端部を下方に押し付けるようにすることで、収納容器がくしゃくしゃとならずに決められた形状に折り畳まれていき、それにより、断熱板を有する構成においても素早く容易に折り畳むことができる。
【００６５】
また、側面１１２ａ，１１２ｂが、等脚台形領域１１４ａ，１１４ｂが硬いことで略伸張状態となりやすいため、保冷箱１０１を組み立てる際、断熱板１２２ａ，１２２ｂを、底面１１３に対向した状態から側面１１２ａ，１１２ｂに重ね合わされた状態まで回動させやすくなる。
【００６６】
なお、上述した実施の形態においては、収納容器の天面を開閉する２つの蓋部１１ａ，１１ｂ，１１１ａ，１１１ｂのうち、一方の蓋部１１ａ，１１１ａのみが、側面１２ｃ，１１２ｃとの連接方向の長さが側面１２ｃ，１１２ｃの高さと同等となっているが、収納容器の形状によっては、他方の蓋部１１ｂ，１１１ｂにおいても、側面１２ｄ，１１２ｄとの連接方向の長さが側面１２ｄ，１１２ｄの高さと同等となっていてもよい。このような場合は、蓋部１１ａ，１１ｂ，１１１ａ，１１１ｂにそれぞれ取り付けられている断熱板２１ａ，２１ｂ，１２１ａ，１２１ｂの厚みを、他の側面１２ａ〜１２ｄ，１１２ａ〜１１２ｄに重ね合わされる断熱板２２ａ〜２２ｄ，１２２ａ〜１２２ｄの半分にする等、蓋部１１ａ，１１ｂ，１１１ａ，１１１ｂの重なる部分において厚みを調整することで嵩張りにくくしてもよい。
【００６７】
また、側面１２ａ，１２ｂ，１１２ａ，１１２ｂが、その幅と高さとが同等の正方形である場合は、側面１２ｃ，１２ｄ，１１２ｃ，１１２ｄの一方に連接した１つの蓋部のみで収納容器の天面を開閉する構成としてもよい。なお、１つの蓋部のみで収納容器の天面を開閉する構成とした場合、収納容器が立方体であると、必然的に蓋部の側面との連接方向の長さが側面の高さと同等のものとなるが、本願発明のように、組み立て及び折り畳み可能な構成において、蓋部に取り付けられた断熱板によって、可撓性部材からなる側面を起立した状態に支え、また、断熱板が取り付けられていない領域においては樹脂シート等によって強度を高めることで、上記効果を得ることができる。
【００６８】
また、上述した実施の形態においては、蓋部１１ａ，１１１ａにおいて、その周縁部から断熱板２２ａ〜２２ｃ，１２２ａ〜１２２ｃの厚み分だけ内側の蓋部１１ａ，１１１ａの略全面に断熱板２１ａ，１２１ａが取り付けられるとともに、蓋部１１ｂ，１１１ｂにおいて、その周縁部から断熱板２２ａ，２２ｂ，２２ｄ，１２２ａ，１２２ｂ，１２２ｄの厚み分だけ内側の蓋部１１ｂ，１１１ｂの略全面に断熱板２１ｂ，１２１ｂが取り付けられているが、断熱板２２ａ〜２２ｄ，１２２ａ〜１２２ｄの高さが側面１２ａ〜１２ｄ，１１２ａ〜１１２ｄの高さよりも蓋部１１ａ，１１ｂ，１１１ａ，１１１ｂに取り付けられた断熱板２１ａ，２１ｂ，１２１ａ，１２１ｂの厚みの分だけ低くなっていれば、蓋部１１ａ，１１ｂ，１１１ａ，１１１ｂの略全面に断熱板２１ａ，２１ｂ，１２１ａ，１２１ｂを取り付けてもよい。
【符号の説明】
【００６９】
１，１０１    保冷箱
１１ａ，１１ｂ，１１１ａ，１１１ｂ    蓋部
１２ａ〜１２ｄ，１１２ａ〜１１２ｄ    側面
１３，１１３    底面
２１ａ，２１ｂ，２２ａ〜２２ｄ，２３，１２１ａ，１２１ｂ，１２２ａ〜１２２ｄ，１２３    断熱板
２４，２５，１２５    非折り曲げ部
２８，１２８    ベルト
２９，１２９    取っ手
３１〜３３，３５，３６，１３１〜１３３，１３５，１３６    面ファスナー
５１ａ，５１ｂ，１５１ａ，１５１ｂ    フラップ部
１１４ａ，１１４ｂ    等脚台形領域
１１５    ステッチ
１１６ａ，１１６ｂ    三角領域
【図１】
0006625875.tif 000002
【図２】
0006625875.tif 000003
【図３】
0006625875.tif 000004
【図４】
0006625875.tif 000005
【図５】
0006625875.tif 000006
【図６】
0006625875.tif 000007
【図７】
0006625875.tif 000008
【図８】
0006625875.tif 000009
【図９】
0006625875.tif 000010
【図１０】
0006625875.tif 000011